(57)【要約】      （修正有）【課題】額縁と絵画とを別個の作品として扱い、額縁をそのままで絵画のみを入れ替えたり、絵画をそのまま飾って額縁のみを変更することのできる、展示用フレームを提供する。【解決手段】展示物２を受容する展示用フレーム１であって、展示物２が前面Ｆから視認可能かつ展示物を後面Ｒから受容可能な枠状をなすフレーム３と、フレーム３の裏面下部に設けられ、枠内に突出したストッパー４と、フレーム３の裏面上部に設けられ、枠内に出没可能なトンボ５とを有し、ストッパー４及びトンボ５は、展示物を受容した状態で後部に逸脱不能に規制する。【選択図】図１
0003214270.tif 000002
【実用新案登録請求の範囲】
【請求項１】
展示物を受容する展示用フレームであって、
展示物が前面から視認可能かつ展示物を後面から受容可能な枠状をなすフレームと、
前記フレームの裏面下部に設けられ、前記枠内に突出したストッパーと、
前記フレームの裏面上部に設けられ、前記枠内に出没可能なトンボとを有し、
前記ストッパー及び前記トンボは、展示物を受容した状態で後部に逸脱不能に規制する、
展示用フレーム。
【請求項２】
前記展示用フレームは、
展示物を受容するための内枠面及び後面を構成し、前記ストッパー及び前記トンボを保持するシャーシと、
前記シャーシに外嵌し、前記展示用フレームの前面及び外枠面を構成するボディーとを有する、
請求項１に記載の展示用フレーム。
【請求項３】
前記シャーシは、前記ボディーを保持するための複数の孔を有する、
請求項２に記載の展示用フレーム。
【考案の詳細な説明】
【技術分野】
【０００１】
本考案は、展示物を受容するための展示用フレームに関する。
【背景技術】
【０００２】
一般に、絵画や書画、写真等を展示する額縁は、画鋲で壁に掛けたり、額縁の下部を長押に乗せるとともに、上部を紐で吊るしたりして使用されている。
【０００３】
額縁は一般的に、受容する絵画等に合わせた寸法のものが用意され、また額縁は絵画を引き立てるためのものであって額縁が作品であるという考え方はされない。そのため、額縁と絵画とを別個の作品として扱い、額縁をそのままで絵画のみを入れ替えたり、絵画をそのまま飾って額縁のみを変更するというような使用はなされなかった。
【０００４】
また、焼き物などの焼縮する素材で額縁を構成する際に規格に合わせるための仕組みは存在しなかった。
【考案の概要】
【考案が解決しようとする課題】
【０００５】
本考案は、以上の点に鑑み、額縁と絵画とを別個の作品として扱い、額縁をそのままで絵画のみを入れ替えたり、絵画をそのまま飾って額縁のみを変更することのできる、展示用フレームを供給することを課題とする。
【課題を解決するための手段】
【０００６】
上記課題は、本考案の構成によれば、展示物が前面から視認可能かつ展示物を後面から受容可能な枠状をなすフレームと、前記フレームの裏面下部に設けられ、前記枠内に突出したストッパーと、前記フレームの裏面上部に設けられ、前記枠内に出没可能なトンボとを有し、前記ストッパー及び前記トンボは、展示物を受容した状態で後部に逸脱不能に規制する、展示用フレームにより、達成される。
【０００７】
前記展示用フレームは、展示物を受容するための内枠面及び後面を構成し、前記ストッパー及び前記トンボを保持するシャーシと、前記シャーシに外嵌し、前記展示用フレームの前面及び外枠面を構成するボディーとを有するものであってもよい。
【０００８】
前記シャーシは、前記ボディーを保持するための複数の孔を有するものであってもよい。
【考案の効果】
【０００９】
本考案による展示用フレームは、展示物が前面から視認可能かつ展示物を後面から受容可能な枠状をなし、裏面下部に設けられ、前記枠内に突出したストッパーと、裏面上部に設けられ、前記枠内に出没可能なトンボとを有し、前記ストッパー及び前記トンボは、展示物を受容した状態で後部に逸脱不能に規制することにより、作品が簡単に着脱可能となっており、労せずして展示物を交換することができる。本考案により作品を展示した場合、その交換作業は、トンボを操作して展示物を展示用フレームの後面から取り外し、別の作品を台座に取り付けトンボを操作して逸脱不能とするという工程の作業で終了する。手軽に作品を交換することができるため、季節ごとにする模様替えに合わせて作品を交換することが可能となる。展示会において数多くの
作品を交換する場合にも、本考案によれば時間と手間をかけずに簡単に作業を行うことができる。額を壁面に取り付けるのみならず、展示物を壁面に取り付けて額のみを交換するといった運用も可能である。
【００１０】
本考案による展示用フレームは、展示物を受容するための内枠面及び後面を構成し、前記ストッパー及び前記トンボを保持するシャーシと、前記シャーシに外嵌し、前記展示用フレームの前面及び外枠面を構成するボディーとを有するものである場合、シャーシに展示物を受容することができるので展示物の規格に合わせた内枠面とすることができ、このシャーシにボディーを外嵌することで、装飾要素を持つボディーを様々な素材とすることができる。例えば、ボディーを焼き物で構成する場合には焼縮が生じるために展示物の規格に合わせたサイズとすることが困難だが、ボディーをシャーシ上に構成することにより、シャーシの内枠サイズが規定されることから、展実物の受容に支障がなく、ボディーの素材を様々なものとすることができる。
【図面の簡単な説明】
【００１１】
【図１】展示用フレームと展示物とを示す斜視図である。
【図２】展示用フレームが、展示物を受容するための内枠面及び後面を構成し、前記ストッパー及び前記トンボを保持するシャーシと、前記シャーシに外嵌し、前記展示用フレームの前面及び外枠面を構成するボディーとを有する場合の斜視図である。
【図３】図2におけるシャーシの五面図である。右側面図は左側面図と対象に現れるため省略している。
【図４】展示物の構造を示す分解図である。
【図５】展示物の収納構造を示す概略斜視図である。
【考案を実施するための形態】
【００１２】
[第一の実施形態]
図1は、本考案を適用した展示用フレームの第一の実施形態を示している。図1に示す展示用フレーム１は、展示物２を受容する展示用フレームであって、展示物２が前面Ｆ方向から視認可能かつ展示物２を後面Ｒ方向から受容可能な枠状をなすフレーム３と、フレーム３の裏面下部に設けられ、フレーム３の枠内に突出したストッパー４と、フレーム３の裏面上部に設けられ、フレーム３の枠内に出没可能なトンボ５とを有し、ストッパー４及びトンボ５は、展示物２を受容した状態で後部に逸脱不能に規制する。
【００１３】
ストッパー４は、フレーム３の裏面下部から展示物２の背面に沿って上方へ延びた爪状部材である。
【００１４】
トンボ５は、フレーム３の裏面上部に設けられた一対の爪状部材であり、それぞれ、回転軸を介してフレーム３の裏面に取り付けられ、展示物２の背面に平行な面内を回動する。そして、その先端がフレーム３の枠内に突出した場合には展示物２を受容した状態で後部に逸脱不能に規制し、その先端がフレーム３の枠内にない状態では展示物２がフレーム３に対し着脱可能となる。
【００１５】
[第ニの実施形態]
図２は、本考案を適用した展示用フレームの第ニの実施形態を示している。
図２において、展示用フレーム１１は、展示物１２を受容するための内枠面及び後面を構成し、ストッパー１４及びトンボ１５を保持するシャーシ１６と、シャーシ１６に外嵌し、展示用フレーム１１の前面及び外枠面を構成するボディー１７とを有する。ボディー１７とシャーシ１６とはフレーム１３を構成する。
【００１６】
シャーシ１６は、シャーシ１６の裏面下部に設けられ、フレーム１３の枠内に突出したストッパー１４と、シャーシ１６の裏面上部に設けられ、フレーム１３の枠内に出没可能なトンボ１５とを有し、ストッパー１４及びトンボ１５は、展示物１２を受容した状態で後部（R方向）に逸脱不能に規制する。
【００１７】
ストッパー１４は、フレーム１３のシャーシ１６の裏面下部から展示物１２の背面に沿って上方（U方向）へ延びた爪状部材である。
【００１８】
トンボ１５は、フレーム１３のシャーシ１６の裏面上部に設けられた一対の爪状部材であり、それぞれ、回転軸を介してシャーシ１６の裏面に取り付けられ、展示物１２の背面に平行な面内を回動する。そして、その先端がフレーム１３の枠内に突出した場合には展示物１２を受容した状態で後部に逸脱不能に規制し、その先端がフレーム１３の枠内にない状態では展示物１２がフレーム１３に対し着脱可能となる。
【００１９】
シャーシ１６は、一枚または複数枚の金属板から形成され、図３に示すように、展示物１２を受容するための長方形の内枠面１６ａ及びこの内枠面１６ａの後端から外方向へ張り出した後面１６ｂを備える。
内枠面１６ａ及び後面１６ｂは、複数設けられた小さな孔１６ｃを有する。
【００２０】
図２に示すように、ボディー１７はシャーシ１６に外嵌し、展示用フレーム１１の前面及び外枠面を構成する。このようにフレーム１３をボディー１７及びシャーシ１６の二部材から構成することで、ボディー１７を焼き物・タイル工芸、ガラス工芸などで作成する場合には、シャーシ１６がベース部材として機能するため、ボディー１７に縮みや変形があった場合でもシャーシ１６の内寸法を保つことができ、展示物１２の受容に影響がない。
ボディー１７は孔１６ｃを介してシャーシ１６に取り付けられ、一体化する。
【００２１】
図４は、展示物の例を示す。（ａ）はパネルの展示物２１を表面２１ａ及び裏面２１ｂから図示したものである。また、（ｂ）はキャンパス裏打ちの展示物２２を構成する木枠２２ａ及びキャンバス２２ｂを図示したものである。
展示物はNSサイズ（594×246mm)、NMサイズ(1255×520mm)、NLサイズ（1620×671mm）など様々なものが可能であり、それに合わせてフレームの内寸を設定すれば良い。
なお、展示物の裏面には壁に取り付けられるための適宜の手段が設けられていてもよい。
【００２２】
図５は、展示物の収納構造を示す。展示物３２は、個別ケース３３に格納された状態で、引き出し状の内箱３４及び外箱３５に格納される。図５に示すように、展示物をフレームと別に保管し、展示物とフレームとの組み合わせを楽しむことができる。
【００２３】
１，１１ 展示用フレーム
２，１２ 展示物
３，１３ フレーム
４，１４ ストッパー
５，１５ トンボ
１６ シャーシ
１７ ボディー
【図１】
0003214270.tif 000003
【図２】
0003214270.tif 000004
【図３】
0003214270.tif 000005
【図４】
0003214270.tif 000006
【図５】
0003214270.tif 000007